(57)【要約】      （修正有）【課題】使用者が変更でき意匠性を楽しめる電力供給器カバーを提供する。【解決手段】略立方体状の電力供給器を収納させて装着するカバー２０であって、略正方形の上面及び底面及び３側面を備え、背面は収納された電力供給器のＡＣプラグを露出するために開口し、内部は空洞である略立方体状であり、上面には、キャラクターの像３０が着脱自在に接続される。同様に、少なくとも略正方形の上面及び２側面を備えて、少なくとも１側面は、ＡＣプラグを露出するために開口し、上面には、キャラクターの像が着脱自在に接続される。側面に、収納された電力供給のライト１１を表示させるための開口２１または透明の窓と、ＵＳＢ端子１２を露出させるための開口２２を備えていてもよい。【選択図】図１
0003188300.tif 000002
【実用新案登録請求の範囲】
【請求項１】
略立方体状の電力供給器を収納させて装着するカバーであって、
略正方形の上面及び底面及び３側面を備え、背面は収納された電力供給器のＡＣプラグを露出するために開口し、内部は空洞である略立方体状であり、
上面には、キャラクターの像が接続された
ことを特徴とする電力供給器カバー。
【請求項２】
略立方体状の電力供給器を収納させて装着するカバーであって、
少なくとも略正方形の上面及び２側面を備えて、内部が空洞である略立方体状であり、
少なくとも１側面は、収納された電力供給器のＡＣプラグを露出するために開口し、
上面には、キャラクターの像が接続された
ことを特徴とする電力供給器カバー。
【請求項３】
キャラクターの像が、上面に対して着脱自在であり、
キャラクターの像部分と、上面以下の略立方体状部分との組み合わせが、使用者によって変更自在である
請求項１または２に記載の電力供給器カバー。
【請求項４】
側面に、収納された電力供給器のライトを表示させるための開口または透明の窓と、収納された電力供給器のＵＳＢ端子を露出させるための開口を備える
請求項１ないし３のずれかに記載の電力供給器カバー。
【考案の詳細な説明】
【技術分野】
【０００１】
本考案は、携帯電話などの携帯端末に電力供給する充電器やＡＣアダプターなどの電力供給器に装着するカバーに関する。
【背景技術】
【０００２】
スマートフォンや携帯式ゲーム機などの携帯端末の普及により、それに対する電力供給器の需要が高まっている。
従来の電力供給器は、機能性が重視され意匠性は軽視されていた。電力供給器に対する従来のカバーとしては、特許文献１〜３などがあるが、同様に意匠性は重視されていなかった。
【０００３】
意匠性の要素として人形等のキャラクターを用いる従来技術には、特許文献４〜５などがあるが、印刷や固定による付設であるため、使用者によって変更することはできず、使用者が積極的に意匠性を楽しむものはなかった。
【先行技術文献】
【特許文献】
【０００４】
【特許文献１】特開２０１２−２２７９０５「緩衝機能を備えた携帯端末機のケース」
【特許文献２】実用新案登録第３１８５５３４号「充電器ケース」
【特許文献３】特開２００２−３００７３０「人形型携帯電話充電器ケース」
【特許文献４】特開２００８−２９７７９「キャリーケースの着せ替えカバー」
【特許文献５】特開平１０−１０４０８８「キャラクター付き電子体温計の電池収納部の構造」
【考案の概要】
【考案が解決しようとする課題】
【０００５】
そこで、本考案は、使用者が意匠性を楽しめる電力供給器カバーを提供することを課題とする。
【課題を解決するための手段】
【０００６】
上記課題を達成するため、本考案の電力供給器カバーは、次の構成を備える。すなわち、略立方体状の電力供給器を収納させて装着するカバーであって、略正方形の上面及び底面及び３側面を備え、背面は収納された電力供給器のＡＣプラグを露出するために開口し、内部は空洞である略立方体状であり、上面には、キャラクターの像が接続されたことを特徴とする。
【０００７】
同様に、略立方体状の電力供給器を収納させて装着するカバーであって、少なくとも略正方形の上面及び２側面を備えて、内部が空洞である略立方体状であり、少なくとも１側面は、収納された電力供給器のＡＣプラグを露出するために開口し、上面には、キャラクターの像が接続された構成としてもよい。
【０００８】
ここで、キャラクターの像を、上面に対して着脱自在に構成し、キャラクターの像部分と、上面以下の略立方体状部分との組み合わせを、使用者によって変更自在にしてもよい。
【０００９】
また、側面に、収納された電力供給器のライトを表示させるための開口または透明の窓と、収納された電力供給器のＵＳＢ端子を露出させるための開口を設けてもよい。
【考案の効果】
【００１０】
本考案によると、キャラクターの像が接続されたサイコロ状であるので、装飾品として置いて飾ることができ、更に、キャラクター部分とサイコロ状部分との組み合わせを選べるので、使用者が意匠性を楽しむことができる。
【図面の簡単な説明】
【００１１】
【図１】本考案の実施例の電力供給器カバーに電力供給器を収納した状態を示す斜視図
【図２】同、背面図
【図３】キャラクターの像を電力供給器カバーの略立方体状部分の上面に接続する状態を示す説明図
【図４】本考案の別実施例の電力供給器カバーの正面図
【図５】キャラクターの像を電力供給器カバーの略立方体状部分の上面に接続する状態を示す説明図
【図６】電力供給器カバーに電力供給器を収納した状態を示す側面図
【考案を実施するための最良の形態】
【００１２】
以下に、本考案の実施形態を図面に基づいて説明する。ここでは好適な例を挙げて説明するが、本考案は従来公知の技術を援用して適宜設計変更可能である。
図１及び２は、本考案の実施例の電力供給器カバーを電力供給器に装着した状態を示す斜視図及び背面図である。ここでは、電力供給器として充電器を挙げ、電力供給器カバーとして充電器カバーを挙げるが、同様に、ＡＣアダプターに装着するＡＣアダプターカバーにも適用できる。
電力供給器（１０）は、一辺約３ｃｍの略立方体状、すなわち、サイコロ状であり、側面に、充電中等の動作状況を表すライト（１１）と、電力を出力するＵＳＢ端子（１２）を備え、背面に、ＡＣプラグ（１３）を備える。
【００１３】
図示の例では、ライト（１１）とＵＳＢ端子（１２）とが同一の側面に配設されているが、異なる側面でもよいし、上面に配設してもよい。また、ライト（１１）は複数設けられていてもよい。
また、ＡＣプラグ（１３）は、図示の不使用時には、略立方体状部分に没入していて、使用時に９０°回転させて突出させる構成であるが、常時突出している固定式のものでもよい。また、ＡＣプラグ（１３）の位置は、底面でもよい。
また、ＵＳＢ端子（１２）の代わりに、ＵＳＢ端子の接続されたケーブルを設けてもよい。
また、電力出力端子は、ＵＳＢに限らず、各種携帯電話機の端子などでもよい。
【００１４】
電力供給器カバーの略立方体状部分（２０）は、上記の電力供給器（１０）に適合する形状であり、略正方形の上面及び底面及び３側面を備え、背面は収納された電力供給器のＡＣプラグを露出するために開口し、内部は空洞である略立方体状であると共に、収納された電力供給器（１０）のライト（１１）を表示させるための孔（２１）と、収納された電力供給器（１０）のＵＳＢ端子（１２）を露出させるための孔（２２）を、それぞれ対応する位置に備える。
なお、図示の例では、背面の全ては開口していないが、全面開口してもよい。
【００１５】
図示の例では、収納された電力供給器（１０）のライト（１１）を表示させるために、孔（２２）を設けているが、代わりに透明の窓を設けてもよい。また、孔（２１）（２２）は、完全な切り抜きに限らず、切れ目として設置してもよい。
【００１６】
電力供給器カバーの略立方体状部分（２０）の素材は、伸縮性を有する合成樹脂が好ましく、特にはシリコンが好適である。なお、電力供給器（１０）の出入を容易にするために、側面の稜線等に切れ目を設けてもよい。
また、収納される電力供給器（１０）の意匠性を楽しむために、４側面を透明の素材で構成してもよい。
【００１７】
電力供給器カバーの略立方体状部分（２０）の上面には、キャラクターの像（３０）が接続されている。なお、像（３０）としては、胸像を挙げているが、同様に、頭部のみや上半身や全身などでもよい。
また、電力供給器カバーの略立方体状部分（２０）に、像（３０）のキャラクターに対応させた手や足を付設してもよい。
【００１８】
図３は、キャラクターの像（３０）を電力供給器カバーの略立方体状部分（２０）の上面に接続する状態を示す説明図である。
キャラクターの像（３０）の底部に備わる突起（３１）を、電力供給器カバーの略立方体状部分（２０）の上面に備わる穴（２３）に嵌合させることによって接続する。
なお、両者（３０）（２０）の接続には、ネジや凹凸嵌合など従来公知の接続手段が利用できる。
【００１９】
キャラクターの像（３０）を着脱自在な構成にすると、キャラクターの像（３０）と電力供給器カバーの略立方体状部分（２０）との組み合わせを選択可能になる。
キャラクターとしては、アニメ等で知られたものや動物や人物や植物など各種が使用でき、また、その顔等の表情も、笑顔や元気な顔など各種が使用できる。
電力供給器カバーの略立方体状部分（２０）としては、色や模様などの異なるものが各種が使用できる。
【００２０】
図４及び５は、本考案の別実施例の電力供給器カバーの正面図と、キャラクターの像（３０’）を電力供給器カバーの略立方体状部分（２０’）の上面に接続する状態を示す説明図である。
本実施例における前記実施例との主な差異は、４側面の全てが塞がっていない点である。図示の例では、対向する２側面（正面及び背面）が開口している。設置されている２側面の内側には、突起（２４）が設けられ、収納される電力供給器（１０）に接して安定設置に寄与する。
キャラクターの像（３０’）は、その底部に備わる穴（３２）を、電力供給器カバーの略立方体状部分（２０’）の上面に備わる突起（２５）に嵌合させることによって接続される。
【００２１】
図６は、電力供給器カバーに電力供給器を収納した状態を示す側面図である。
電力供給器（１０）のＡＣプラグ端子（１４）は、開口している背面に突出する。これにより、家屋等の壁面に接続すると、キャラクターの像（３０’）を立った姿勢で壁面に配置できる。
なお、開口している正面に、電力供給器（１０）のＵＳＢ端子（１２）が露出しているが、ＵＳＢ端子（１２）にケーブルを固定した形態、すなわち、ＵＳＢ端子（１２）の代わりにＵＳＢケーブルを備えた電力供給器を用いてもよい。
【００２２】
本実施例では、電力供給器カバーの略立方体状部分（２０’）は、上面及び２側面の計３面で形成されているが、底面を加えた計４面、更には、正面も加えた計５面で形成してもよい。
また、ＵＳＢ端子（１２）は、正面に配置されているが、底面に配置してもよい。
【００２３】
また、本実施例の場合は、前記実施例に比べて、電力供給器（１０）の出入が容易なので、電力供給器カバーの略立方体状部分（２０）の素材は、伸縮性を有する合成樹脂に限らず、ＡＢＳなど硬質の合成樹脂でもよい。
【産業上の利用可能性】
【００２４】
本考案によると、装飾品として置いて飾ることができ、更に、そのデザインを使用者が変えることもできるので、使用者が意匠性を楽しむことができ、産業上利用価値が高い。
【符号の説明】
【００２５】
１０  電力供給器
１１  ライト
１２  ＵＳＢ端子
１３  ＡＣプラグ
１４  ＡＣプラグ端子
２０、２０’  電力供給器カバーの略立方体状部分
２１  ライト用の孔
２２  ＵＳＢ端子用の孔
２３  キャラクター像接続用の穴
２４  収納用の突起
２５  接続用の突起
３０、３０’  キャラクター像
３１  キャラクター像の底部突起
３２  キャラクター像の底部穴
【図１】
0003188300.tif 000003
【図２】
0003188300.tif 000004
【図３】
0003188300.tif 000005
【図４】
0003188300.tif 000006
【図５】
0003188300.tif 000007
【図６】
0003188300.tif 000008